(57)【要約】【課題】画面上の画像の左端部および右端部において表れる異常な縦ラインをカットし、故障しているのではないかとユーザに誤解されるのを防止したテレビ受像機を提供する。【解決手段】制御部２は、画像メモリ８A上に展開されている画像データをRAM２Aに読み込み、読み込んだ画像データの内、画像９０の最も左端の縦ラインから調査する。調査対象の縦ラインの各ドットが全て同じデータで構成されている場合、制御部２は、調査対象の縦ラインを異常縦ラインと認定する。そして、制御部２は、正常縦ラインが発見されるまで、次の縦ラインを調査し続ける。正常縦ラインが発見されると、制御部２は、全ての異常な縦ラインに展開される、画像メモリ８A上のデータをカットする。右端部９０Bについても同様に処理する。これらの結果、画像メモリ８A上の画像データに基づく画像が表示部９で表示されると、表示画面は、図４に示すような画面となる。【選択図】  図４
2010109509.tif 000002
【特許請求の範囲】
【請求項１】
ディジタル放送波を受信し、選択されているチャンネルのテレビ番組の画像データを前記ディジタル放送波から抽出する受信手段と、
前記受信手段において抽出された前記画像データを画像メモリ上に展開し、前記画像メモリ上の前記画像データに基づく画像を画面上に表示する表示手段と、を備えたテレビ受像機において、
前記表示手段は、
前記画像メモリ上の前記画像データの内、前記画像の左端部および右端部における複数の縦ラインのデータを所定のタイミングで調査し、前記縦ラインの各ドットが全て同じデータであるかどうか判定する調査部と、
前記縦ラインの各ドットが全て同じデータであると前記調査部に判定された異常縦ラインに展開される、前記画像メモリ上のデータをカットするカット部と、を有することを特徴とするテレビ受像機。
【請求項２】
前記カット部は、判定した前記画像メモリ上の前記異常縦ラインに展開されるデータを前記画像メモリ上から消去することにより前記カットを行うことを特徴とする請求項１に記載のテレビ受像機。
【請求項３】
前記受信手段は、全テレビ番組の放送開始時刻および放送終了時刻を示す電子番組表データを前記ディジタル放送波から抽出し、
前記調査部は、前記電子番組表データに基づいて、任意のテレビ番組の放送が終了して同じチャンネルの次のテレビ番組の放送が開始する時、又はチャンネルの切り替え時に、前記調査を開始し、
前記カット部は、前記電子番組表データに基づいて、前記縦ラインの各ドットが全て同じデータであると前記調査部が判定したテレビ番組の放送が終了するまで、前記カットを継続することを特徴とする請求項１又は２に記載のテレビ受像機。
【請求項４】
前記調査部による前記調査の実行を受け付ける操作手段を備えることを特徴とする請求項１から３のいずれかに記載のテレビ受像機。
【請求項５】
前記縦ラインの各ドットが全て同じデータでないと前記調査部に判定された正常縦ラインと前記異常縦ラインとの境目の位置と、その判定を行ったテレビ番組と、を対応付けて記憶するテーブルを備え、
前記調査部は、前記テーブルに記憶されるテレビ番組が表示される時、そのテレビ番組に対応する前記境目の位置を前記テーブルから読み取り、各端部に付き前記境目の２本の縦ラインのみ、前記縦ラインの各ドットが全て同じデータであるかどうか判定し、
前記カット部は、その２本の縦ラインが前記正常縦ラインと前記異常縦ラインからなると両端部とも前記調査部に判定されば、前記異常縦ラインより画像外側の縦ラインに展開される、前記画像メモリ上のデータをカットすることを特徴とする請求項１から４のいずれかに記載のテレビ受像機。
【発明の詳細な説明】
【技術分野】
【０００１】
本発明は、ディジタル放送波を受信し、その放送波に含まれるテレビ番組の画像データを画像メモリに展開してから、画像メモリ上の画像データに基づく画像を画面に表示するテレビ受像機に関するものである。
【背景技術】
【０００２】
近年、ディジタル放送の開始により、ディジタル放送波を受信し、その放送波に含まれるテレビ番組のコンテンツを表示するテレビ受像機が普及し始めている。
このようなテレビ受像機においては、ディジタル放送波に含まれるテレビ番組の画像データを画像メモリに展開してから、画像メモリ上の画像データに基づく画像を画面に表示している。これにより、ユーザは、そのテレビ受像機において表示されるテレビ番組のコンテンツを視聴する。
なお、特許文献１では、テレビジョン信号処理装置が提案されている。
【特許文献１】特開平８−２２３５４３号公報
【発明の開示】
【発明が解決しようとする課題】
【０００３】
しかしながら、従来のテレビ受像機では、画面上の画像の左端部および右端部において、縦ラインの各ドットが全て同じデータで構成される異常な縦ラインが表れることがあった。その主な原因には、放送局側でテレビ番組を収録する際の画像データの編集ミスが挙げられる。
【０００４】
このように画面上の画像の端部に上記異常な縦ラインが表れると、あたかも画面上にノイズが発生しているように見えてしまう。そのため、従来のテレビ受像機では、テレビ受像機が故障しているのではないかとユーザに誤解されるおそれがあった。
【０００５】
本発明はこのような従来の課題を解決しようとするものであり、画面上の画像の左端部および右端部に表れる異常な縦ラインをカットし、故障しているのではないかとユーザに誤解されるのを防止したテレビ受像機を提供することを目的とする。
【課題を解決するための手段】
【０００６】
本発明のテレビ受像機は、前記課題を解決するために以下の構成を備えている。
【０００７】
（１）ディジタル放送波を受信し、選択されているチャンネルのテレビ番組の画像データを前記ディジタル放送波から抽出する受信手段と、
前記受信手段において抽出された前記画像データを画像メモリ上に展開し、前記画像メモリ上の前記画像データに基づく画像を画面上に表示する表示手段と、を備えたテレビ受像機において、
前記表示手段は、
前記画像メモリ上の前記画像データの内、前記画像の左端部および右端部における複数の縦ラインのデータを所定のタイミングで調査し、前記縦ラインの各ドットが全て同じデータであるかどうか判定する調査部と、
前記縦ラインの各ドットが全て同じデータであると前記調査部に判定された異常縦ラインに展開される、前記画像メモリ上のデータをカットするカット部と、を有することを特徴とする。
【０００８】
この構成では、画像メモリ上に展開されている画像データの内の、画像の左端部および右端部における複数の縦ラインのデータが調査部に調査される。縦ラインの各ドットが全て同じデータで構成されていないと調査部に判定された縦ラインは、正常縦ラインとみなされる。一方、縦ラインの各ドットが全て同じデータで構成されていると調査部に判定された縦ラインは、異常縦ラインとみなされる。そして、カット部は、全ての異常な縦ラインに展開される、画像メモリ上のデータをカットする。表示手段は、画像メモリ上のカット後の画像データに基づく画像を表示する。
【０００９】
以上より、画面上の画像の左端部および右端部において異常縦ラインが存在しても、異常な縦ラインをカットするので、ユーザは、異常な縦ラインの無い正常な画像を視聴することになる。従って、テレビ受像機が故障しているのではないかとユーザに誤解されるのを防止できる。また、カットする縦ラインは、端から数本程度であるため、視覚的にはカットしたことをユーザは感じない。よって、ユーザに違和感を与えずに済む。
【００１０】
（２）前記カット部は、判定した前記画像メモリ上の前記異常縦ラインに展開されるデータを前記画像メモリ上から消去することにより前記カットを行うことを特徴とする。
【００１１】
この構成では、異常縦ラインを消去することで、異常縦ラインの部分を、黒色のサイドバーと同じ色にしている。そのため、ユーザに違和感を一層与えずに済む。
【００１２】
（３）前記受信手段は、全テレビ番組の放送開始時刻および放送終了時刻を示す電子番組表データを前記ディジタル放送波から抽出し、
前記調査部は、前記電子番組表データに基づいて、任意のテレビ番組の放送が終了して同じチャンネルの次のテレビ番組の放送が開始する時、又はチャンネルの切り替え時に、前記調査を開始し、
前記カット部は、前記電子番組表データに基づいて、前記縦ラインの各ドットが全て同じデータであると前記調査部が判定したテレビ番組の放送が終了するまで、前記カットを継続することを特徴とする。
【００１３】
画面上の画像の左端部および右端部において異常な縦ラインが表れる主な原因には、放送局側でテレビ番組を収録する際の画像データの編集ミスが挙げられる。そこで、この構成においては、テレビ番組単位で調査とカットを実行する。
【００１４】
（４）前記調査部による前記調査の実行を受け付ける操作手段を備えることを特徴とする。
【００１５】
この構成において、ユーザは、画像に異常縦ラインが発生している時など、所望のタイミングで縦ラインの調査を調査部に実行させることができる。従って、ユーザの使い勝手を向上できる。
【００１６】
（５）前記縦ラインの各ドットが全て同じデータでないと前記調査部に判定された正常縦ラインと前記異常縦ラインとの境目の位置と、その判定を行ったテレビ番組と、を対応付けて記憶するテーブルを備え、
前記調査部は、前記テーブルに記憶されるテレビ番組が表示される時、そのテレビ番組に対応する前記境目の位置を前記テーブルから読み取り、各端部に付き前記境目の２本の縦ラインのみ、前記縦ラインの各ドットが全て同じデータであるかどうか判定し、
前記カット部は、その２本の縦ラインが前記正常縦ラインと前記異常縦ラインからなると両端部とも前記調査部に判定されば、前記異常縦ラインより画像外側の縦ラインに展開される、前記画像メモリ上のデータをカットすることを特徴とする。
【００１７】
テレビ番組の中には、毎週放送されるものや、毎日放送されるものがある。そこで、この構成においては、異常縦ラインが発生したテレビ番組を登録しておき、次回にそのテレビ番組が放送される時、縦ラインの調査を簡略化している。これにより、表示手段は境目の２本の縦ラインだけを両端部について調査すれば済むので、処理時間を短縮できる。
なお、表示手段に表示される表示画面は、前回と同じ縦ラインがカットされた画面となる。
【発明の効果】
【００１８】
この発明によれば、テレビ受像機が故障しているのではないかとユーザに誤解されるのを防止できる。
【発明を実施するための最良の形態】
【００１９】
以下、本発明の実施形態であるディジタルテレビジョンについて説明する。
【００２０】
図１は、本発明の実施形態であるディジタルテレビジョンの主要な構成を示すブロック図である。ディジタルテレビジョン（以下、TVと称する）１０１は、装置の各部の動作を制御する制御部２と、選択されたチャンネルのディジタル放送波を受信するチューナ３と、受信したディジタル放送波をディジタルデータに復調する復調部４と、復調したディジタルデータから画像データと音声データとを分離し、両データを伸長するデコーダ５と、所望のOSD（On  Screen  Display）と画像データに基づく画像とを合成する画像合成部６と、画像データの信号と音声データの信号とをアナログの再生信号にそれぞれ変換するD／A変換部８と、画像を表示する表示部９と、音声を装置外部に発生するスピーカ１０と、ユーザの操作を受付ける操作部１１と、ＰＳＩ／ＳＩデータなどの制御データを記憶する制御データメモリ１２と、制御プログラムを記憶するフラッシュＲＯＭ１３と、を備える。TV１０１は、例えば液晶テレビ、プラズマテレビである。
【００２１】
ここで、チューナ３、復調部４及びデコーダ５が、本発明の「受信手段」に相当する。また、D／A変換部８、表示部９及び制御部２が、本発明の「表示手段」に相当する。
【００２２】
フラッシュＲＯＭ１３は、装置本体各部の制御方法が記述された制御プログラムを予め記憶する。
【００２３】
制御部２は、例えばマイクロコンピュータで構成される。制御部２は、上記制御プログラムにより処理されるデータ等を展開するためのワークフィールドとしてのRAM２Aと、現在時刻を計時する計時部（不図示）と、を内蔵する。
【００２４】
操作部１１には、リモコン２００からの送信された命令を受信する受光部１１Ａが設けられている。リモコン２００には、例えば、チャンネルの選択を受付けるチャンネル選択キー、EPGの表示を受付けるEPG表示キー、電源のON／OFFを受付ける電源キー、音量の調整を受付ける音量キー、後述する調査の実行を受付ける調査実行キー、等が設けられている。ユーザは、いずれかのキーを押下してＴＶ１０１に命令する。
【００２５】
リモコン２００で押下されたキーに応じた信号は、命令として不図示のＬＥＤから送信され、操作部１１の受光部１１Ａで受信される。そして、操作部１１は受信した命令を制御部２に伝送する。
なお、操作部１１には、リモコン２００と同じキーが設けられている。
【００２６】
チューナ３は、アンテナ３０で受信しているディジタル放送波から、選択されたチャンネルのディジタル放送波を受信する。そして、チューナ３は、そのディジタル放送波を復調部４に出力する。
【００２７】
復調部４は、チューナ３から出力されたディジタル放送波を、ディジタルデータであるトランスポートストリームに復調し、出力する。
【００２８】
ここで、放送局は、テレビ番組の他に、各チャンネルで放送されているテレビ番組の属性（番組名、出演者等）を示す制御データを送信している。制御データは、例えばＰＳＩ／ＳＩデータである。この制御データには、アスペクト比や画角を示すAFD( Active. Format Description)情報、トランスポートストリームに関するストリーム構成情報、放送局に関する放送局情報、各チャンネルで放送されているテレビ番組を特定する番組特定情報が記述されているＥＰＧ（電子番組表情報）などが含まれる。この番組特定情報は、例えば各チャンネルのチャンネル名、各チャンネルで放送されているテレビ番組の番組名である。
【００２９】
デコーダ５は、復調部４から出力されたトランスポートストリームから、画像データと音声データと制御データとを分離抽出する。ここで、分離抽出された画像データは、例えばMPEG２でエンコードされている。
【００３０】
さらに、デコーダ５は、分離した制御データを制御部２に出力する。制御部２は、デコーダ５から出力された制御データを制御データメモリ１２に記録する。この制御データには、上述したように、ＥＰＧと、AFD情報と、が含まれている。
【００３１】
制御データメモリ１２は、例えばEEPROMで構成される。放送局からは、随時最新の制御データが送信されるため、制御データメモリ１２に保存される情報は随時最新の情報に更新される。
【００３２】
なお、ＥＰＧの表示がリモコン２００で指示されると、制御部２は、画像合成部６を用いてＥＰＧを表示部９に表示する。このＥＰＧは、縦軸の時間と横軸のチャンネルとでマトリックス状に構成されており、その時間とそのチャンネルとにテレビ番組の情報（番組名や番組内容に関する詳細情報など）が対応付けて記述されている。また、制御部２は、制御データメモリ１２に保存されているＥＰＧのデータから、全テレビ番組の放送開始時刻と放送終了時刻を認識する。
また、制御部２は、制御データメモリ１２に保存されているAFD情報から、現在選択されているチャンネルで放送されるテレビ番組のアスペクト比や画角などを判別する。そして、制御部２は、アスペクト比や画角などをD／A変換部８に設定する。
【００３３】
一方、デコーダ５は、上記で分離した画像データをデコードする。最後に、デコーダ５は、画像データを画像合成部６を介してD／A変換部８に出力する。また、デコーダ５は、音声データをデコードし、D／A変換部８に出力する。
【００３４】
画像合成部６は、文字又は図形からなるOSD（オンスクリーンディスプレイ）画像を示すOSDデータを記憶する画像メモリ（不図示）を内蔵する。画像合成部６は、制御部２の指示に基づいてOSDデータの信号を生成する。
そして、画像合成部６は、画像データに基づく画像と、画像メモリが記憶しているOSDデータに基づくOSD画像と、を合成する。画像合成部６は、その合成された画像データをD／A変換部８に出力する。又は、画像合成部６は、OSDデータのみをD／A変換部８に出力する。又は、画像合成部６は、入力された画像データをスルーしてD／A変換部８に出力する。
【００３５】
D／A変換部８は、入力された画像データ又はOSDデータを、制御部２に設定されるアスペクト比や画角などに従って画像メモリ８A上に展開する。そして、D／A変換部８は、画像メモリ８A上に展開されている画像データ又はOSDデータを、制御部２に設定されるアスペクト比や画角などに従ってアナログの再生画像信号に変換する。そして、D／A変換部８は、再生画像信号を表示部９に出力する。また、D／A変換部８は、デコーダ５が出力した音声データの信号をアナログの再生音声信号に変換し、スピーカ１０に出力する。
【００３６】
表示部９は、例えばLCD（Liquid Crystal Display）である。表示部９は、再生画像信号に基づく画像を画面上に表示する。スピーカ１０は、再生音声信号に基づく音声を放音する。
【００３７】
図２は、表示画面の一例を示す図である。ユーザは、表示部９およびスピーカ１０において、D／A変換部８から出力された再生画像信号に基づく画像９０と再生音声信号に基づく音声とを視聴する。これにより、ユーザは、選択したチャンネルで放送されるテレビ番組を視聴する。
【００３８】
しかしながら、従来のテレビ受像機では、画面上の画像９０の左端部９０Aおよび右端部９０Bにおいて、縦ラインの各ドットが全て同じデータで構成される異常な縦ラインが表れることがあった。その主な原因には、放送局側でテレビ番組を収録する際の画像データの編集ミスが挙げられる。
【００３９】
このように画像９０の端部に上記異常な縦ラインが表れると、あたかも画面上にノイズが発生しているように見えてしまう。
そこで、この実施形態では、以下のようにして異常な縦ラインをカットする。
なお、図２における各異常な縦ラインは、縦ラインを明示するため互いに離して並べているが、実際の各異常な縦ラインは隣接している。
また、この実施形態では、アスペクト比４：３の画像９０を黒色のサイドバー９１A、９１Bとともに画面に表示しているが、１６：９のアスペクト比で表示されることも有る。
【００４０】
図３は、本発明の実施形態であるディジタルテレビジョンの制御部が行う動作を示すフローチャートである。この動作は、ユーザがチャンネル選択キーでチャンネルを切り替えた時、ユーザが調査実行キーを押下した時、又は任意のテレビ番組が終了して同じチャンネルで放送されるその次のテレビ番組が開始する時、のいずれかの時の動作である。
【００４１】
チャンネルの切り替え等が行われると、制御部２は、制御データメモリ１２に保存されているAFD情報に基づいてスクリーンの設定自動判別処理を実行する（S１）。詳述すると、制御部２は、そのAFD情報から、現在選択されているチャンネルで放送されるテレビ番組のアスペクト比や画角などを判別する。そして、制御部２は、アスペクト比や画角などをD／A変換部８に設定する。
【００４２】
制御部２は、画像メモリ８A上に展開されている画像データをRAM２Aに読み込む（S２）。ここで、画像メモリ８A上に展開されている画像データの全てを読み込むのではなく、制御部２は、左端部９０Aの所定ライン数分と右端部９０Bの所定ライン数分とに対応する画像データをRAM２Aに読み込む。所定ライン数は、後述のS７で説明する。
【００４３】
制御部２は、RAM２Aに読み込んだ画像データの内、画像９０の最も左端の縦ラインから調査する（S３）。
【００４４】
制御部２は、調査対象の縦ラインの各ドットが全て同じデータで構成されるかどうか判定する（S４）。ここで、最も左端の縦ラインの各ドットが全て同じデータでないと判定したとき、即ち最も左端の縦ラインが正常縦ラインであるとき、制御部２は、左端部９０Aは全て正常縦ラインであると判定し（S５NO）、右端部９０Bの調査に進む（S１０NO）。逆に、最も左端の縦ラインが異常縦ラインであるとき、制御部２は、S４とS６〜S８からなるループに入る。
【００４５】
S４において、調査対象の縦ラインの各ドットが全て同じデータで構成されると判定すると、制御部２は、調査対象の縦ラインを異常縦ラインと認定する（S６）。
【００４６】
そして、制御部２は、調査した縦ラインの数が所定ライン数に達するまで（S７YES）、又は縦ラインの各ドットが全て同じデータでない正常縦ラインが発見されるまで（S４NO）、次の縦ラインを調査する（S８）。ここで、S７の所定ライン数は、例えば２０ラインである。また、S８で調査する次の縦ラインとは、左端部９０A の縦ラインを調査している場合、S６で認定した異常な縦ラインの右隣の縦ラインであり、右端部９０B の縦ラインを調査している場合、S６で認定した異常な縦ラインの左隣の縦ラインである。S７において、調査した縦ラインの数が所定ライン数に達すると、制御部２は、縦ラインは異常でなくそういう画像データが放送されていると判断し、ループを脱出して右端部９０Bの調査に進む（S１０NO）。
【００４７】
一方、調査した縦ラインの数が所定ライン数に達するまでにS４で正常縦ラインが発見されると、制御部２は、ループを脱出し、左端部９０Aに異常な縦ラインがあったと判定する（S５YES）。
【００４８】
そして、制御部２は、全ての異常な縦ラインに展開される、画像メモリ８A上のデータのカットを開始するようD／A変換部８に指示し（S９）、右端部９０Bの調査に進む（S１０NO）。S９の指示により、D／A変換部８は、画像メモリ８A上の異常縦ラインに展開されるデータを、画像メモリ８A上から消去することによりカットする。その他、実施の際は、画像メモリ８A上の異常縦ラインに展開されるデータの上に、サイドバー９１A、９１Bと同色のOSDデータを上書きしても構わない。
【００４９】
続いて、制御部２は、画像９０の最も右端の縦ラインから調査し（S１１）、S４に進む。以後左端部９０Aの縦ラインに対する調査と同様に、制御部２は、右端部９０Bの縦ラインに対して調査等を行う（S４〜S８）。調査の結果、右端部９０Bに異常な縦ラインがあったと判定すると、制御部２は、左端部９０Aと同様に、全ての異常な縦ラインに展開される、画像メモリ８A上のデータのカットを開始するようD／A変換部８に指示する（S９）。
【００５０】
右端部９０Bの調査も終了すると（S１０NO）、制御部２は、表示部９で表示されているテレビ番組の放送終了時刻まで上記S９のカットをD／A変換部８に継続させる（S１２、S１３）。このテレビ番組の放送終了時刻は、制御データメモリ１２に保存されているEPGのデータを解析することにより得られる。
以上により、画像メモリ８A上のカット後の画像データに基づく画像が表示部９の画面に表示されると、その表示画面は、図４に示すような画面となる。
図４は、異常縦ラインをカットした時に表示される表示画面の一例を示す図である。
【００５１】
以上より、画面上の画像９０の左端部９０Aおよび右端部９０Bにおいて異常縦ラインが存在しても（図２参照）、S９において異常な縦ラインをカットするので、ユーザは、異常縦ラインの無い正常な画像９０を視聴することになる（図４参照）。従って、TV１０１が故障しているのではないかとユーザに誤解されるのを防止できる。また、カットする縦ラインは、端から数本程度であるため、視覚的にはカットしたことをユーザは感じない。よって、ユーザに違和感を与えずに済む。
【００５２】
また、異常縦ラインをカットすることで、異常縦ラインの部分を、黒色のサイドバー９１A、９１Bと同じ色にしている。そのため、ユーザに違和感を一層与えずに済む。
また、調査実行キーをリモコン２００に設けているため、ユーザは、画像９０に異常縦ラインが発生している時など、所望のタイミングで縦ラインの調査をTV１０１に実行させることができる。従って、ユーザの使い勝手を向上できる。
【００５３】
なお、S１２において、テレビ番組の放送終了時刻までに、ユーザがチャンネル選択キーでチャンネルを切り替えた時、制御部２は、再びS１から処理する。
【００５４】
ここで、テレビ番組の中には、毎週放送されるものや、毎日放送されるものがある。そこで、異常縦ラインが発生したテレビ番組を登録しておき、次回にそのテレビ番組が放送される時、縦ラインの調査を簡略化しても構わない。
【００５５】
図５は、登録テーブルの内容を示す図である。登録テーブル５０は、異常縦ラインが発生したテレビ番組と、そのテレビ番組の異常縦ラインと正常縦ラインとの境目の位置と、を対応付けたテーブルである。図３に示す調査の結果、表示部９で表示しているテレビ番組に異常縦ラインが発生していた場合、制御部２は、異常縦ラインをカットするとともに、そのテレビ番組を特定する番組特定情報（番組名やチャンネル番号など）とそのテレビ番組の境目の位置とを登録テーブル５０に登録する。図中、登録テーブル５０の最上部に記述されているテレビ番組「野鳥物語」および境目の位置は、図２の表示画面に表示されている画像９０に対応している。
【００５６】
図６は、本発明の実施形態であるディジタルテレビジョンの制御部が登録テレビ番組の表示時に行う動作を示すフローチャートである。この動作は、登録テーブル５０に登録されているテレビ番組がチャンネルの切り替え等により表示部９に表示される時の動作である。
【００５７】
登録テーブル５０に登録されているテレビ番組のチャンネルに切り替えられると、制御部２は、S１及びS２の後、選択されているチャンネルで放送されているテレビ番組に対応する境目の位置を登録テーブル５０から読み取る（S１０１）。
【００５８】
次に、制御部２は、各端部に付き境目の２本の縦ラインのみ調査する（S１０２）。例えば、図５に示す野鳥物語であれば、制御部２は、左端から３ライン目と４ライン目の縦ラインと、右端から４ライン目と５ライン目の縦ラインと、をそれぞれ調査する。一方、図５に示すパンダ物語であれば、制御部２は左端から２ライン目と３ライン目の縦ラインを調査する。
【００５９】
そして、制御部２は、各端部における境目の２本の縦ラインについて、縦ラインの各ドットが全て同じデータであるかどうか判定する（S１０３）。左端部９０A及び右端部９０Bの少なくとも一方の端部において、２本のラインが正常縦ラインと正常縦ラインである場合、又は、２本のラインが異常縦ラインと異常縦ラインである場合、前回と境目が異なっていることになる。この場合、制御部２は今回調査したテレビ番組を登録テーブル５０から抹消し（S１０５）、図３のS３に戻る。
【００６０】
一方、両端部とも２本のラインが正常縦ラインと異常縦ラインであると判定すると、制御部２は、異常縦ラインより画像外側の縦ラインに展開される画像メモリ８A上のデータ、即ち前回と同じ縦ラインのデータを画像メモリ８A上からカットするようD／A変換部８に指示する（S１０４）。これにより、表示部９に表示される表示画面は、前回と同じ縦ラインがカットされた画面となる（例えば図４参照）。
以上より、制御部２は境目の２本の縦ラインだけを両端部について調査すれば済むので、処理時間を短縮できる。
【図面の簡単な説明】
【００６１】
【図１】本発明の実施形態であるディジタルテレビジョンの主要な構成を示すブロック図
【図２】異常縦ラインをカットしない場合に表示される表示画面の一例を示す図
【図３】本発明の実施形態であるディジタルテレビジョンの制御部が行う動作を示すフローチャート
【図４】異常縦ラインをカットした時に表示される表示画面の一例を示す図
【図５】登録テーブルの内容を示す図
【図６】本発明の実施形態であるディジタルテレビジョンの制御部が登録テレビ番組の表示時に行う動作を示すフローチャート
【符号の説明】
【００６２】
２…制御部
３…チューナ
４…復調部
５…デコーダ
６…画像合成部
８…D／A変換部
８A…画像メモリ
９…表示部
１０…スピーカ
１１…操作部
１１Ａ…受光部
１２…制御データメモリ
１３…フラッシュROM
３０…アンテナ
５０…登録テーブル
９０…画像
９０A…左端部
９０B…右端部
９１A、９１B…サイドバー
１０１…ＴＶ
２００…リモコン
【図１】
2010109509.tif 000003
【図２】
2010109509.tif 000004
【図３】
2010109509.tif 000005
【図４】
2010109509.tif 000006
【図５】
2010109509.tif 000007
【図６】
2010109509.tif 000008